(57)【要約】      （修正有）【課題】海洋うねり波の変化に対応出来る構造として、海洋水の取水を効率良く均一化させることの出来る構築構造を提供する。【解決手段】リアス式海岸構造を人為的に構築し断面的に海底勾配を海洋から陸地側へ順次７％〜１０％の範囲の勾配で浅くしつつ、陸地部は３％〜５％範囲で貯水池１７迄配管し、平面的にはＶ字型形状の突堤１を海洋から順次狭めた形状で、効率の良い角度を沿岸線から海洋へ向かって３０°〜４０°開きＶ字型突堤構築体とし、常時ある海洋うねり波をＶ字湾内に導き陸地に設置した貯水池１７に貯留し、コンスタントに貯留水を調整放流排水し、動力源を常時確保出来る構造とする。【選択図】図１
2015221999.tif 000002
【特許請求の範囲】
【請求項１】
陸地沿岸から海洋沖へＶ字型オープンタイプ突堤を延しその延長距離は１００ｍから３００ｍの範囲とする、突堤構造は積み重ねケーソンタイプとし、ケーソン周囲は大口径２号港湾型鋼管で包囲し、Ｖ字型湾内は突堤先端より沿岸に向かって突堤長の１／３迄、２列、更に１／６迄３列として、大口径２号港湾型鋼管を設置した構造とし、Ｖ字型オープンタイプ突堤の海洋へ向かって突堤左側は１０ｍの犬走りをとり、２割勾配のマウンド構造法面とし、法先はテトラポット積みとした構築構造とする、Ｖ字型オープンタイプ突堤内側、左右には７ｍの犬走りを設置した構築構造とする、Ｖ字型オープンタイプ突堤右側には抑制型暗渠タイプ構築体を海洋へ向かって１００から３００ｍ迄併用して構築し、海洋うねり波の変化に対応出来る構造として海洋水の取水を効率良く均一化させることの出来る構築構造を特許請求の範囲とする。
【請求項２】
抑制型暗渠タイプ構築体はＶ字部分を積上げたケーソンタイプ構築体とし周辺はＶ字型オーンタイプ突堤と同じく、大口径２号港湾型鋼管で包囲した構造とし、抑制型暗渠タイプ構築体の躯体内部はＶ字型中央に、ケーソン積上げ大口径２号港湾型鋼管巻き中仕切りを抑制型暗渠タイプ全長の６５％まで延長構築しその先端は大口径２号港湾型鋼管を１列、３０ｍ〜４０ｍ延長構築して、更に中央仕切りと抑制型暗渠タイプ両側壁面間には各々２列の大口径２号港湾型鋼管を設置し、暗渠構築天上部の波浪2015221999.tif 000003
した構築構造を特許請求の範囲とする
【請求項３】
Ｖ字型オープンタイプ突堤と抑制暗渠タイプの構築体の海洋から陸地へ向かった海底勾配は７％〜１５％とし、Ｖ字型オープンタイプ突堤湾内の海底はマウンド構築後大型石張りとした構築構造とし、抑制型暗渠タイプ海底勾配構築はマウンド構築整地後大型石張りとした構築構造を特許請求の範囲とする。
【請求項４】
Ｖ字型オープンタイプ突堤の陸地側先端部は鉄筋コンクリート構築体とし構築体の海洋へ向かった左側には緊急時排水出来る水門を設けた構造とする、抑制型暗渠タイプ構築体は海洋へ向かって沿岸線より、４０ｍ右側に排水門を設けた構造として流木、浮遊物、魚類等の排出の出来る構造構築を特許請求の範囲とする。
【請求項５】
Ｖ字型オープンタイプ突堤の陸地側先端部の鉄筋コンクリート構築体より陸地へ向かって２００ｍ〜２６０ｍはパイプ配管構造とし、その勾配は３％〜５％で緩やかに立ち上げ、海洋水を貯水池に導き貯水し、動力源水とする、抑制型暗渠タイプ構築体は平均潮位、位置を海洋水取り入れ口とし、陸地沿岸部を一部鉄筋コンクリート構築体とし、その先端部はパイプ配管とした構築構造で所々固定化し、貯水池中迄２００ｍ〜２６０ｍ延長し海洋水を導くことの出来る構築構造を特許請求の範囲とする。
【請求項６】
貯水池構造内側は隔壁構造とし、外側は鋼管パイル併用とし、鋼管天端は調整池外周壁高さの半分迄の高さとし、鋼管パイル天端と外周壁間は鉄筋コンクリート仕上げとした構造で、貯水池面積は沿岸線と平行に横に４００ｍ延ばし、縦直角に陸地側へ１４０ｍの矩形状として、設置位置地盤高さは平均潮位より１０ｍ以上、上がりとし、地盤高面を基盤とし基礎栗石１ｍ、床盤厚２ｍの鉄筋コンクリート構築体とする、貯水池構築天端高は平均潮位より２２ｍ上がりとし、排水路放流排水口は平均潮位高より１５ｍとした、中仕切り隔壁を設けた構築体とする、貯水池周辺全体は直径１ｍの鋼管パイルで包囲した構築構造とし、躯体高さ半分６ｍ迄立ち上げ根入れは１５ｍ、貯水池外周壁と鋼管の間は鉄筋コンクリートで固めた構築構造とし、沿岸線侵食防止用、大口径２号港湾型鋼管と貯水池周辺包囲鋼管パイル間は全面コンクリート石張法面とし津波時に対応出来る構築構造を特許の請求の範囲とする、
【請求項７】
貯水池からの排水路は水路幅を７ｍとし中間背割りコンクリート幅１ｍの両側に３ｍ幅の水路を設置し、背割り中間壁両側に発電水車を取り付けた構築構造で延長７８５ｍ高低差は最低１５ｍとする、貯水池躯体壁高さ９ｍとし、排水路延長線に１２×２＝２４か所の発電施設装置を設置し、発電施設回転水車は各々海洋水放流排水量により、上下スライド出来る構造装置とする、排水路には放水量調整水門１か所（特種水門）と、５か所の堰と逆流防止水門を両開き１個所設置した構築構造を特許請求の範囲とする。
【請求項８】
海洋沿岸流の関係から太平洋沿岸は添付図の様に海洋に向かって左側にＶ字型オープンタイプ突堤と排水路を設け、日本海側は右側に配置することを原則として年間を通じ沿岸流の方向性を確認して決定する配置構造を特許請求の範囲とする。
【発明の詳細な説明】
【技術分野】
【０００１】海洋に於ける発電方式には温度差発電、潮流利用発電、波高変化利用発電等世界でも研究がされているが、日本に於ける研究開発はこれからであると考えられる、在来迄の考えは海の中で生ずる波力の変化に合わせた発電方式が大部分である
【背景技術】
【０００２】日本に於ける津波現象は度々あるが特に被害の大きい三陸沿岸はＶ字型リアス式海岸線で過去の被害も最大級である、この昔からの教訓を参考に考えたのがＶ字型突堤を陸側から海洋へ向かって１００ｍ〜３００ｍ突き出させて海洋うねり海洋水波を陸地へ抵抗なく導き、この海洋水を一時貯水し、海洋に自然放流する導程に於いて発電装置を複数設置し常時発電出来る構築構造とした。
【発明の開示】
【発明が解決しようとする課題】
【０００３】海洋に於いて波がある場合の確立を考え、この波エネルギーを利用し陸地へ高く導くことが出来るかどうか、又施設設置に伴う沿岸流による漂砂現象、浮遊物の施設進入の場合に於ける対応に課題があった
【課題を解決する手段】
【０００４】  リアス式海岸構造を人為的に構築し断面的に海底勾配を海洋から陸地側へ順次７％〜１０％の範囲の勾配で浅くしつつ、陸地部は３％〜５％範囲で貯水池迄配管し、平面的にはＶ字型形状の突堤を海洋から順次狭めた形状で、効率の良い角度を沿岸線から海洋へ向かって３０°〜４０°開きＶ字型突堤構築体とし、常時ある海洋うねり波をＶ字湾内に導き陸地に設置した貯水池に貯留し、コンスタントに貯留水を調整放流排水し、動力源を常時確保出来る解決手段とした、施設の設置場所の選定についてはうねり波の大きい場所を測定とし、更に漂砂の堆積が生じない様に放流排水の方向付けにより沿岸流の方向に変化を与える対策とした
【発明の実施形態】
【０００５】  本施設設置場所については沿岸線管轄各都道府県、国土交通省に申請書を提出し、認可後沿岸線の海流調査、地質調査、津波、台風時の在来までの被害等を調査し、１／１００の設置個所に於ける実験装置を現地にて行い海底勾配、突堤の海洋側への開き角度の確認、それによる海洋水の陸地側への上昇経済的高さを確認し、本設計、施工実施  とする実施形態とする。
【図面の簡単な説明】
【０００６】
【図１】海洋うねり波利用Ｖ字型オープンタイプ突堤及び抑制型暗渠タイプ併用発電施設構築構造
【符号の説明】
【０００７】  １、Ｖ字型オープンタイプ突堤構築施設（ケーソン重ね全周大口径２号港湾型鋼管（鋼管内部は鉄筋籠、コンクリート詰め、深度３０ｍ包囲設置）  ２、抑制型暗渠タイプ構築体（ケーソン重ね全周大口径２号港湾型鋼管巻き鋼管内部は鉄筋籠、コンクリート詰め構造とする、深度３０ｍ）  ４、Ｖ字型オープンタイプ突堤の緊急時水門  ５、Ｖ字型オープンタイプ突堤陸地側鉄筋コンクリート構築体  ６、石張り部（海底勾配７％〜１５％）  ７、海洋水上昇排水口  ８、法面及びテトラポット積み上げ法面  ９、突堤先端部大口径２号港湾型鋼管内部は上記と同じ、深度３０ｍ設置１０、洗削防止用石張工１１、天上部構築体（Ｈ鋼材並べ、コンクリート打ち込構築、その上部は鉄筋コンクリート床盤仕上げ全面２ｍ厚さ）１２、中央仕切り部（外周大口径２号港湾型鋼管巻き深度３０ｍ、ケーソン積重ね構造、陸地側先端部は大口径２号港湾型鋼管２列構築構造）１３、中央仕切り部両側は２列ずつ一定間隔で大口径２号港湾型鋼管を各々陸地側へ配列１４、沿岸線侵食防止（大口径２号港湾型鋼管、鉄筋籠、コンクリート詰め、深度３０ｍ）１５、抑制型暗渠タイプ構築体内部の海底部玉石勾配石張り１６、抑制暗渠タイプ陸地側先端部から貯水池迄の海洋水送水管１７、貯水池１８、隔仕切り壁１９、放流調整水門２０、堰２１、発電装置（複数個所）２２、逆流防止水門２３、侵食防止用鋼管直径１ｍ肉厚深度２０ｍ（津波時に備える）２４、電気室、及び管理事務所２５、大型砕石埋め立部２６、侵食防止用大口径２号港湾型鋼管と径１ｍ鋼管の法面間、石張工
【図１】
2015221999.tif 000004
【図２】
2015221999.tif 000005
【図３】
2015221999.tif 000006
【手続補正書】
【提出日】平成26年7月30日(2014.7.30)
【手続補正１】
【補正対象書類名】明細書
【補正対象項目名】０００６
【補正方法】変更
【補正の内容】
【０００６】
【図１】海洋うねり波利用Ｖ字型オープンタイプ突堤及び抑制暗渠型タイプ併用発電施設構築構造  平面図
【図２】海洋うねり波利用Ｖ字型オープンタイプ突堤発電施設構築構造  断面図
【図３】海洋うねり波利用Ｖ字型オープンタイプ突堤及び抑制暗渠型タイプ併用発電施設構築構造の海洋側から見た断面図
【手続補正２】
【補正対象書類名】明細書
【補正対象項目名】０００７
【補正方法】変更
【補正の内容】
【０００７】  １、Ｖ字型オープンタイプ突堤構築施設（ケーソン重ね全周大口径２号港湾型鋼管（鋼管内部は鉄筋籠、コンクリート詰め、深度３０ｍ包囲設置）  ２、抑制型暗渠タイプ構築体（ケーソン重ね全周大口径２号港湾型鋼管巻き鋼管内部は鉄筋籠、コンクリート詰め構造とする、深度３０ｍ）  ３、沿岸流  ４、Ｖ字型オープンタイプ突堤の緊急時水門  ５、Ｖ字型オープンタイプ突堤陸地側鉄筋コンクリート構築体  ６、石張り部（海底勾配７％〜１５％）  ７、海洋水上昇排水口  ８、法面及びテトラポット積み上げ法面  ９、突堤先端部大口径２号港湾型鋼管内部は上記と同じ、深度３０ｍ設置１０、洗削防止用石張工１１、天上部構築体（Ｈ鋼材並べ、コンクリート打ち込構築、その上部は鉄筋コンクリート床盤仕上げ全面２ｍ厚さ）１２、中央仕切り部（外周大口径２号港湾型鋼管巻き深度３０ｍ、ケーソン積重ね構造、陸地側先端部は大口径２号港湾型鋼管２列構築構造）１３、中央仕切り部両側は２列ずつ一定間隔で大口径２号港湾型鋼管を各々陸地側へ配列１４、沿岸線侵食防止（大口径２号港湾型鋼管、鉄筋籠、コンクリート詰め、１５、抑制型暗渠タイプ構築体内部の海底部玉石勾配石張り１６、抑制暗渠タイプ陸地側先端部から貯水池迄の海洋水送水管１７、貯水池１８、隔仕切り壁１９、放流調整水門２０、堰２１、発電装置（複数個所）２２、逆流防止水門２３、侵食防止用鋼管直径１ｍ肉厚深度２０ｍ（津波時に備える）２４、電気室、及び管理事務所２５、大型砕石埋め立部２６、侵食防止用大口径２号港湾型鋼管と径１ｍ鋼管の法面間、石張工
【手続補正３】
【補正対象書類名】図面
【補正対象項目名】図２
【補正方法】変更
【補正の内容】
【図２】
2015221999.tif 000007
【手続補正４】
【補正対象書類名】図面
【補正対象項目名】図３
【補正方法】変更
【補正の内容】
【図３】
2015221999.tif 000008